(57)【要約】      （修正有）【課題】まな板下面に調理台上の水が付着しないようにでき、しかもまな板を傾斜状態で使用できるので調理時におけるまな板上の水切れを良好にできるまな板支持台の提供。【解決手段】まな板支持台として、所定長さを有する台本体１と、台本体１に対して長手方向にスライド自在に連結されるスライド部材２とで構成するとともに、スライド部材２の長手方向の一端部に下向き又は上向きに突出する所定長さの支持脚２２を設けている。【選択図】図２
0003122563.tif 000002
【実用新案登録請求の範囲】
【請求項１】
まな板（Ｂ）を傾斜姿勢で支持するためのまな板支持台であって、所定長さを有する台本体（１）と、該台本体（１）に対して長手方向にスライド自在に連結されるスライド部材（２）とで構成されているとともに、前記スライド部材（２）の長手方向の一端部に下向き又は上向きに突出する所定長さの支持脚（２２）を設けていることを特徴とするまな板支持台。
【考案の詳細な説明】
【技術分野】
【０００１】
本考案は、調理台上でまな板を使用する際に該まな板を傾斜姿勢で支持するためのまな板支持台に関するものである。
【背景技術】
【０００２】
まな板は、一般家庭においてはシンク槽の側方にある調理台の上に置いて使用されるが、調理台の上面は水で濡れている場合が多い。
【０００３】
又、調理台上面は水平面であり、まな板を調理台上に直接載置すると該まな板も水平状態になる。
【考案の開示】
【考案が解決しようとする課題】
【０００４】
ところで、まな板を調理台上に直接載置すると、まな板の下面が調理台上の水で濡れてしまい、まな板上で調理（例えば切断）する食材に調理台上の不潔な水が付着するおそれがある。従って、まな板を調理台上に直接載置した状態で該まな板上で食材を調理する場合には、不潔感を感じるという問題があった。
【０００５】
又、まな板を調理台上に直接載置した状態では、まな板上面が水平姿勢となっており、そのまな板上で水分の多い食材（例えば水洗いした状態の野菜等）を調理（例えば切断）する場合に、食材に含む（又は付着する）水分がまな板上に留まってしまう。従って、調理する食材に多量の水が付着したままとなって水切れが悪いという問題もあった。
【０００６】
そこで、本考案は、まな板を調理台上面から離間した状態で使用できる（不潔感を解消する）とともに、まな板上に付着する水分を自動的に排除し得る（水切れを良くする）ようにしたまな板支持台を提供することを目的としている。
【課題を解決するための手段】
【０００７】
本考案は、上記課題を解決するための手段として、次の構成を有している。尚、本考案は、調理台上において使用されるまな板を傾斜姿勢で支持するためのまな板支持台を対象にしている。
【０００８】
本考案のまな板支持台は、所定長さを有する台本体と、該台本体に対して長手方向にスライド自在に連結されるスライド部材とで構成されている。
【０００９】
このまな板支持台における台本体及びスライド部材は、例えばプラスチック又は金属板（例えばステンレス鋼板）製で、比較的撓み強度のあるものが好ましい。
【００１０】
台本体は、家庭で使用される一般的なまな板の大きさ（例えば平面視で４０〜５０cm×２５cm程度）よりかなり小さいものでよい。又、この台本体は、平面視長方形のものでもよいし、平面視Ｔ形のものでもよい。台本体の形状が平面視長方形のものでは、その平面視の面積が例えば１５〜２５cm×１０〜１５cm程度（この寸法は特に限定するものではない）のものでよく、台本体の形状が平面視Ｔ形のものでは、Ｔ形の上辺部が棒状で１０〜１５cm程度の長さを有する一方、Ｔ形の下方延出部の幅が４〜６cmで長さが１５〜２５cm程度のものを採用できる。尚、上記の各寸法は特に限定するものではなく、適宜に設計変更することができるものである。
【００１１】
スライド部材は、台本体に対してガタつきのない状態でスライドし得るものであればよく、例えば１枚の板状のものや複数本の棒を一体に組付けたもの等が採用できる。
【００１２】
台本体とスライド部材間には、スライド部材を台本体に対して長手方向にスライドさせ得るガイドを設けているが、このガイド手段はスライド部材を台本体に対してスライドさせ得るものであれば適宜構造のものを採用できる。例えば、台本体側に鞘状のガイド部を設ける一方、スライド部材側に台本体の鞘状ガイド部に差し込んでスライドし得る部分を設けたものを採用できる。尚、スライド部材は、台本体に対して分離不能であっても分離可能であってもよい。
【００１３】
本考案のまな板支持台は、スライド部材の長手方向の一端部に下向き又は上向き（いずれか一方）に突出する所定長さの支持脚を設けている。この支持脚の突出長さは、特に限定するものではないが４〜５cm程度でよい。
【００１４】
本考案のまな板支持台は、スライド部材を台本体に対して最縮小状態と最伸長状態との間で無段階に伸縮させることができるようになっている。そして、スライド部材を台本体に対して最縮小させた状態では、支持脚先端と台本体先端とを結ぶ線が台本体平面部に対して例えば９〜１０°程度の傾斜角をもち、他方、スライド部材を台本体に対して最伸長させた状態では、支持脚先端と台本体先端とを結ぶ線が台本体平面部に対して例えば５〜６°程度の傾斜角をもつようになる。尚、このまな板支持台は、スライド部材を台本体に対して最縮小と最伸長との間の適宜中間伸長状態で使用することもできる。
【００１５】
本考案のまな板支持台は、まな板上で被調理物を調理（例えば切断）する際に該まな板の敷台として使用される。そして、このまな板支持台は、スライド部材と台本体とを適宜の伸長状態で連続させた状態で、スライド部材の支持脚が下向きに突出する姿勢と該支持脚が上向きに突出する姿勢との２通りの方法で使用できる。
【００１６】
まず、支持脚が下向き姿勢でまな板支持台を調理台上に置くと、支持脚先端（下端）と台本体先端部下面とが調理台上面に接触して台本体の平面部が調理台上面に対して傾斜姿勢（５〜１０°の範囲の傾斜姿勢）となり、このまな板支持台上にまな板を載せると該まな板も傾斜姿勢（５〜１０°の範囲の傾斜姿勢）で支持できる。他方、支持脚が上向き姿勢でまな板支持台を調理台上に置くと、台本体の平面部下面が調理台上面に全面接触して支持脚先端（上端）と台本体の先端部上面とを結ぶ線が傾斜するようになり、該支持脚上端と台本体先端部上面とに跨がってまな板を架け渡すことで、該まな板を傾斜姿勢（５〜１０°の範囲の傾斜姿勢）で支持できる。尚、このまな板支持台をシンク槽に隣接する調理台上に載置する際には、まな板がシンク槽側に下降傾斜する姿勢で支持できるように、まな板支持台の向きを設定するとよい。又、まな板支持台で支持するまな板の傾斜角度は、スライド部材と台本体との伸長度合いを調整することで変化させることができる。
【００１７】
このように、まな板をまな板支持台上に支持させた状態では、まな板下面が調理台上面から離間しているので、まな板下面に調理台上の水が付着することがない。又、まな板を傾斜姿勢で支持しているので、そのまな板上で水分の多い食材（例えば水洗いした状態の野菜等）を調理（例えば切断）する場合に、食材に含む（又は付着する）水分がまな板上面を自然に下降傾斜側に流下していく。
【００１８】
ところで、まな板上で包丁を使用する際に、作業の種類又は使用する人によっては、まな板が左右いずれかに若干角度（例えば角度５〜１０°）傾斜している方が使い易い場合があるが、その場合、スライド部材と台本体との伸縮量を調整することで、まな板支持台上に支持されるまな板の上面の傾斜角度を調整できる。
【考案の効果】
【００１９】
本考案のまな板支持台は、台本体とスライド部材とを適宜の伸縮状態で連続させた状態で調理台の上に置き、そのまな板支持台の上にまな板を置くことで該まな板を傾斜姿勢で支持させることができる。
【００２０】
従って、本考案のまな板支持台では、使用状態においてまな板下面と調理台上面との間に空所が形成されるので、まな板下面に調理台上面の不潔な水が付着することがなく、まな板を衛生面で良好な状態で使用できるという効果がある。
【００２１】
又、本考案のまな板支持台では、スライド部材の支持脚により、まな板支持台上に載置されるまな板を適宜の傾斜姿勢で支持できる。従って、まな板上で水分の多い食材を調理（例えば切断）する場合に、食材に含む（又は付着する）水分がまな板上面を自然に下降傾斜側に流下していくので、水切れが良好になるという効果がある。尚、台本体上面の傾斜角度は、台本体とスライド部材との伸縮量によって調整し得るので、まな板上で調理される食材の性状により、該食材に含む（又は付着）する水が自然に流下する程度の傾斜角度に調整できる。
【実施例】
【００２２】
以下、図１〜図７を参照して本考案の実施例を説明すると、図１〜図６には第１実施例のまな板支持台を示し、図７には第２実施例のまな板支持台を示している。
【００２３】
第１実施例のまな板支持台Ａは、図１に示すように、平面長方形の台本体１と、該台本体１に対して長手方向にスライド自在に連結されるスライド部材２とで構成されている。
【００２４】
このまな板支持台Ａでは、台本体１及びスライド部材２はそれぞれプラスチック製で、比較的撓み強度のある状態で形成されている。
【００２５】
台本体１は、家庭で使用される一般的なまな板Ｂ（例えば４０〜５０cm×２５cm程度の大きさ）を支持し得るもので、平面視の面積が１５〜２５cm×１０〜１５cm程度の大きさに形成することができる。尚、この台本体１の面積は、まな板Ｂを安定姿勢で載置し得るものであれば、適宜の面積のものが採用可能である。
【００２６】
この台本体１は、上面板１１と下面板１２と各長辺側の側面板１３，１３とで、内部に薄型の空間部１４を形成した扁平な四角筒形状に成形されている。上面板１１、下面板１２、各側面板１３，１３の各厚さは、２〜３mm程度（特に限定するものではない）の薄肉でよい。内部の空間部１４は、上下間隔が５〜６mm程度で台本体１の短辺幅のほぼ全幅範囲（各側面板１３，１３の厚さ除く幅）の開口を有し、それを台本体１の長辺幅全長に亘って貫通形成している。
【００２７】
スライド部材２は、台本体１の空間部１４内に抜き挿しされる挿入板２１と、該挿入板２１の長手方向一端部に挿入板２１に対して直角方向（下向き又は上向き）に突出させた支持脚２２とを一体成形したものが使用されている。挿入板２１の幅及び厚さは、上記台本体の空間部１４内に過不足なく出し入れし得る大きさであり、挿入板２１の全長は、台本体１の長手方向全長と同じかそれより僅かに短い程度である。
【００２８】
この第１実施例のまな板支持台Ａでは、台本体１の空間部１４の内面（上面板１１、下面板１２、両側面板１３，１３で囲われた内面）がスライド部材２の挿入板２１のガイドとなり、該挿入板２１が台本体１に対してガタつきのない状態でスライドし得るようになっている。
【００２９】
スライド部材２の支持脚２２は、厚さが５〜６mmで、突出長さが４〜５cm程度のものが適当である。支持脚２２の下端にはゴム等の滑り止め材２３が取付けられている。尚、他の実施例では、滑り止め材２３を省略してもよい。
【００３０】
スライド部材２の支持脚形成側端部の上面には、台本体１の上面板１１（又は下面板１２）の厚さ（２〜３mm）とほぼ同高さの小突起２４がスライド部材２の全幅に亘って一体に形成されている。この小突起２４は、図３及び図４の使用状態ではスライド部材２の支持脚形成側端部の上面高さを台本体１の上面の延長線上に合わせる一方、図５及び図６の使用状態ではスライド部材２の支持脚形成側端部の下面高さを台本体１の下面の延長線上に合わせるものである。そして、この小突起２４は次のように機能する。即ち、図３及び図４に示すように、支持脚２２を下向き姿勢で使用する場合（特に図４の最伸長状態で使用する場合）には、まな板Ｂの下面が台本体１の上面とともに小突起２４の上面にも接触して該まな板Ｂを安定姿勢（ガタつかない状態）で支持できる。他方、図５及び図６に示すように、支持脚２２を上向き姿勢で使用する場合（特に図６の最伸長状態で使用する場合）には、調理台Ｅの上面に台本体１の下面とともに小突起２４の下面も同時に接触して、まな板支持台Ａを調理台Ｅ上に安定姿勢（ガタつかない状態）で支持できる。
【００３１】
この第１実施例のまな板支持台Ａは、まな板Ｂ上で被調理物Ｃを調理（例えば切断）する際に該まな板Ｂの敷台として使用されるが、一般家庭においては被調理物Ｃは図３〜図６に示すように主として流しの調理台Ｅ上で調理される。尚、流しの調理台Ｅは、シンク槽Ｆに隣接して設けられており、このまな板支持台Ａを使用する際には、まな板Ｂをシンク槽Ｆ側に下降傾斜する姿勢で支持し得る向きで使用するとよい。
【００３２】
又、この第１実施例のまな板支持台Ａは、スライド部材２と台本体１とを連結した状態で、図３及び図４に示すようにスライド部材２の支持脚２２を下向き姿勢で使用したり、あるいは図５及び図６に示すようにスライド部材２の支持脚２２を上向き姿勢で使用したりすることができる。
【００３３】
図３又は図４に示すように、支持脚２２を下向きにした姿勢でまな板支持台Ａを調理台Ｅ上に置くと、台本体１の先端部下面とスライド部材２の支持脚２２下端（滑り止め材２３）のみが調理台Ｅの上面に着座する。この状態では、まな板支持台Ａの下面の全面積が調理台Ｅの上面から離間した状態（空所Ｓが形成された状態）で設置される。そして、このまな板支持台Ａの上にまな板Ｂを載せると、まな板支持台Ａの下面が調理台Ｅの上面から離間しているので、調理台Ｅの上面が水（不潔水）で濡れていても、該水（不潔水）がまな板支持台Ａの上面に付着することがない。従って、まな板支持台Ａの上にまな板Ｂを載置して被調理物Ｃを調理（例えば包丁Ｄで切断）する際に、まな板Ｂは調理台Ｅから離間し且つきれいな（乾燥状態の）まな板支持台Ａの上面に接触しているだけなので衛生面で良好に使用できる。
【００３４】
又、まな板支持台Ａを図３に示す最縮小状態で調理台Ｅの上に置いたときには、まな板支持台Ａの上面及び該まな板支持台Ａ上に載置されるまな板Ｂの傾斜角度ａが９〜１０°程度になる。他方、図４に示すようにまな板支持台Ａを最伸長させた状態で調理台Ｅの上に置いたときには、まな板支持台Ａの上面及び該まな板支持台Ａ上に載置されるまな板Ｂの傾斜角度ｂが５〜６°程度になる。そして、それぞれ傾斜状態にあるまな板支持台Ａ上にまな板Ｂを載置すると、該まな板Ｂもまな板支持台の上面と同角度で傾斜し、そのまな板Ｂ上で水分の多い被調理物Ｃ（例えば水洗いした状態の野菜等）を調理（例えば切断）する場合に、該被調理物Ｃに含む（又は付着する）水分がまな板Ｂの上面を自然に下降傾斜側（シンク槽Ｆ側）に流下していく。
【００３５】
ところで、まな板Ｂ上で調理される被調理物Ｃに含まれる水分は、粘度等の性状の違いにより自然流下する傾斜角度が異なることが考えられるが、このまな板支持台Ａのように台本体１とスライド部材２との伸縮度合いによってまな板支持台上面の傾斜角度を調整できるようにしたものでは、まな板Ｂ上で調理される被調理物Ｃの性状により、該被調理物Ｃに含む（又は付着する）水が自然に流下する程度にまな板支持台（まな板）の傾斜角度を調整して調理を行うことができる。
【００３６】
又、まな板Ｂ上で包丁Ｄを使用する際に、作業の種類又は使用する人によっては、まな板Ｂが若干角度（例えば角度５〜１０°）傾斜している方が使い易い場合があるが、その場合も、スライド部材２と台本体１との伸縮量を調整することで、台本体１上に載置されるまな板Ｂを所望の傾斜角度に調整できる。
【００３７】
又、この第１実施例のまな板支持台Ａは、図５又は図６に示すように、スライド部材２の支持脚２２を上向き姿勢で使用することもできる。尚、図５又は図６の結合状態は、スライド部材２を台本体１に対して裏返して連結させるか、あるいは図３又は図４の状態からまな板支持台Ａ全体を裏返したものである。
【００３８】
この図５又は図６の使用例では、まな板支持台Ａの上に設置されるまな板Ｂが支持脚２２の先端（上端）と台本体１の先端上面とで支持される。従って、この図５又は図６の使用例でも、まな板Ｂの下面と調理台Ｅの上面との間に空間Ｓができるので、調理台Ｅ上の水（不潔水）がまな板Ｂに付着することがないとともに、まな板Ｂをそれぞれ傾斜状態（角度ａ又は角度ｂ）で支持できる。又、この場合も、スライド部材２と台本体１との伸縮度合いを調整することで、まな板支持台Ａ上に支持されるまな板Ｂの傾斜角度を変更できる。
【００３９】
図７に示す第２実施例のまな板支持台Ａ′は、上記第１実施例のスライド部分の変形例を示しもので、台本体１及びスライド部材２をそれぞれ平面視Ｔ形に形成したものを使用している。即ち、図７の第２実施例では、台本体１のガイド筒部分（鞘状部分）及びスライド部材２の挿入板２１部分をそれぞれ適宜の細幅にした平面視Ｔ形に形成している。
【００４０】
この第２実施例のまな板支持台Ａ′において、台本体１のガイド筒１０部分の幅は、特に限定するものではないが例えば４〜６cmでよく、その場合、スライド部材２の挿入板２１部分の幅は、それより僅かに狭い３.５〜５.５cm程度の幅でよい。台本体１のＴ形上辺部１５は、棒状で１０〜１５cm程度の長さを有している。尚、スライド部材２には、第１実施例のものと同様に、挿入板２１の一端に適宜高さ（４〜５cm）で適宜長さ（１０〜１５cm）の脚部２２が設けられている。
【００４１】
そして、この第２実施例のまな板支持台Ａ′も、上記第１実施例のものと同様に、台本体１に対してスライド部材２を伸縮させることで、脚部２２によるまな板支持位置を変化させることができる（まな板の傾斜角度を変更できる）。その際、このまな板支持台Ａ′を、図３及び図４に示すようにスライド部材２の脚部２２を下に向けて使用する使用形態と、図５及び図６に示すようにスライド部材２の脚部２２を上に向けて使用する使用形態とを選択できる。
【００４２】
又、この第２実施例のまな板支持台Ａ′では、台本体１及びスライド部材２をそれぞれ平面視Ｔ形に形成しているので、第１実施例のものに比して材料を節約できる。尚、この第２実施例のまな板支持台Ａ′を図４に示すように脚部２２を下に向け且つスライド部材２を大きく伸長させた状態で使用するときには、スライド部材２の挿入板２１部分の細幅になった分、撓み強度が低下するが、該挿入板２１部分の撓み強度を必要に応じて補強することができる。
【図面の簡単な説明】
【００４３】
【図１】本願第１実施例のまな板支持台の分離状態を示す斜視図である。
【図２】図１のまな板支持台の組付け状態を示す斜視図である。
【図３】図２のIII−III断面図である。
【図４】図３の状態変化図である。
【図５】図１のまな板支持台の他の使用例を示す図３相当図である。
【図６】図５の状態変化図（図４相当図）である。
【図７】本願第２実施例のまな板支持台の分離状態を示す斜視図である。
【符号の説明】
【００４４】
１は台本体、２はスライド部材、１４は空間部、２１は挿入板、２２は支持脚、Ａ及びＡ′はまな板支持台、Ｂはまな板である。
【図１】
0003122563.tif 000003
【図２】
0003122563.tif 000004
【図３】
0003122563.tif 000005
【図４】
0003122563.tif 000006
【図５】
0003122563.tif 000007
【図６】
0003122563.tif 000008
【図７】
0003122563.tif 000009